(57)【要約】      （修正有）【課題】着用者が容易に履くことができ、かつ着用者を介護する介護者にとっても容易に履かせることができる靴下を提供する。【解決手段】着用者の足が足指から挿入される履き口部１５を有する靴下１０において、履き口部の開口端縁１５Ａの一部１５Ａａが開口端縁の一部以外の残部に対して上方に突出して形成された舌片状の引張部２０を備え、引張部の外表面２０Ａまたは内表面２０Ｂに引張部の下方に向かって開口する袋状の手指挿入部２１が形成される。【選択図】図２
0003211355.tif 000002
【実用新案登録請求の範囲】
【請求項１】
着用者の足指を覆う足指覆い部、該足指覆い部と連続して形成されて前記着用者の足底を覆う足底覆い部、該足底覆い部及び前記足指覆い部と連続して形成されて前記着用者の足甲を覆う足甲覆い部、及び該足甲覆い部と連続して形成されて前記足甲の上部に位置する前記着用者の足首を覆う足首覆い部を備え、該足首覆い部の上端縁が前記着用者の足が前記足指から挿入される履き口部の開口端縁として設定された靴下において、
前記履き口部の前記開口端縁の一部が該開口端縁の前記一部以外の残部に対して上方に突出して形成された舌片状の引張部を備え、
該引張部の外表面または内表面に該引張部の下方に向かって開口する袋状の手指挿入部が形成されることを特徴とする靴下。
【請求項２】
着用者の足指を覆う足指覆い部、該足指覆い部と連続して形成されて前記着用者の足底を覆う足底覆い部、該足底覆い部及び前記足指覆い部と連続して形成されて前記着用者の足甲を覆う足甲覆い部を備え、該足甲覆い部の上端縁が前記着用者の足が前記足指から挿入される履き口部として設定された靴下において、
前記履き口部の前記開口端縁の一部が該開口端縁の前記一部以外の残部に対して上方に突出して形成された舌片状の引張部を備え、
該引張部の外表面または内表面に該引張部の下方に向かって開口する袋状の手指挿入部が形成されることを特徴とする靴下。
【請求項３】
前記開口端縁の前記一部が前記着用者の後退する方向に位置することを特徴とする請求項１または２に記載の靴下。
【請求項４】
前記開口端縁の前記一部の縁長と前記開口端縁の前記残部の縁長とが等しいことを特徴とする請求項１〜３のいずれか１項に記載の靴下。
【考案の詳細な説明】
【技術分野】
【０００１】
本考案は、靴下、特に、着用者が着用するに際して、着用者の足がその足指から挿入される履き口部を備えた靴下に関する。
【背景技術】
【０００２】
この種の靴下を履く場合は、着用者が躯体を前傾させて屈み込んで、足の先まで手を伸ばして履き口部に足指を挿入して履くことが多いところ、一般に、高齢者や身体が不自由な者（以下「高齢者等」という。）が靴下を履く場合は、躯体を前傾させて足の先まで手を伸ばすことが困難な場合がある。
【０００３】
さらに、このような高齢者等を介護する介護者が、被介護者である高齢者等に靴下を履かせる場合には、両手を使って履き口部を拡開して高齢者等の足指を履き口部に挿入させて履かせるところ、高齢者等の体勢によっては、かような手順で履かせることが困難となる場合がある。
【０００４】
このような場合の対策として、特許文献１には、高齢者等が履きやすくなり、かつ介護者が履かせやすくなることを目的とした靴下が開示されている。この靴下には、着用者の足首を覆う足首覆い部における脛を覆う部分とアキレス腱を覆う部分との間に指掛け部が設けられている。
【０００５】
この特許文献１の靴下の指掛け部は、足首覆い部が横方向に切り込まれることによって形成されたスリットによって構成される。このスリットは、下側の切り込み端縁に上側の切り込み端縁が外側から被せられて、下側の切り込み端縁に上側の切り込み端縁が重ね合わせられて形成される。
【０００６】
この指掛け部に下側から指が挿入されると、スリットに指が入り込むことから、指で靴下を引っ張り上げることが可能となる。
【先行技術文献】
【特許文献】
【０００７】
【特許文献１】特開２０１５−７８４７７公報
【考案の概要】
【考案が解決しようとする課題】
【０００８】
しかし、特許文献１の靴下によれば、指掛け部が、足首覆い部が横方向に切り込まれることによって足首覆い部とほぼ面一で形成されたスリットによって構成されることから、高齢者等、特に指が拘縮しているような者にあっては、指掛け部を探り当てることができずに、スリットに下から指を入れて引っ張り上げることが困難となることが懸念される。
【０００９】
一方、介護者にとっても、靴下を履かせる高齢者等の体勢によっては、指掛け部のスリットに指を入れづらかったり、指掛け部を探り当てることができなかったりすることが懸念される。
【００１０】
本考案は、上記事情に鑑みてなされたものであり、高齢者等が容易に履くことができ、かつ高齢者等を介護する介護者が容易に履かせることのできる靴下を提供することを課題とするものである。
【課題を解決するための手段】
【００１１】
上記課題を解決するための第１の考案による靴下は、着用者の足指を覆う足指覆い部、該足指覆い部と連続して形成されて前記着用者の足底を覆う足底覆い部、該足底覆い部及び前記足指覆い部と連続して形成されて前記着用者の足甲を覆う足甲覆い部、及び該足甲覆い部と連続して形成されて前記足甲の上部に位置する前記着用者の足首を覆う足首覆い部を備え、該足首覆い部の上端縁が前記着用者の足が前記足指から挿入される履き口部の開口端縁として設定された靴下において、前記履き口部の前記開口端縁の一部が該開口端縁の前記一部以外の残部に対して上方に突出して形成された舌片状の引張部を備え、該引張部の外表面または内表面に該引張部の下方に向かって開口する袋状の手指挿入部が形成されることを特徴とする。
【００１２】
この構成によれば、靴下は、足首覆い部の上端縁に設定された履き口部の開口端縁の一部が開口端縁の残部に対して上方に突出して形成された舌片状の引張部を備えることから、着用者が靴下を履く際には、着用者がその手指で引張部に容易に接触することができる。
【００１３】
この引張部の外表面または内表面には、引張部の下方に向かって開口する袋状の手指挿入口が形成されていることから、着用者が、引張部の手指挿入部に下方から上方に向かって手指を容易に挿入することができる。これにより、引張部を足首まで容易に引っ張り上げることができる。
【００１４】
一方、着用者を介護する介護者が着用者に靴下を履かせる場合も、引張部が履き口部の開口端縁から突出して形成されていることから、着用者の体位の変動に大きく左右されることなく、手指挿入部に手指を挿入して引張部を足首まで引っ張って、着用者に履かせることができる。
【００１５】
第２の考案による靴下は、着用者の足指を覆う足指覆い部、該足指覆い部と連続して形成されて前記着用者の足底を覆う足底覆い部、該足底覆い部及び前記足指覆い部と連続して形成されて前記着用者の足甲を覆う足甲覆い部を備え、該足甲覆い部の上端縁が前記着用者の足が前記足指から挿入される履き口部として設定された靴下において、前記履き口部の前記開口端縁の一部が該開口端縁の前記一部以外の残部に対して上方に突出して形成された舌片状の引張部を備え、該引張部の外表面または内表面に該引張部の下方に向かって開口する袋状の手指挿入部が形成されることを特徴とする。
【００１６】
この構成によれば、靴下は、足甲覆い部の上端縁に設定された履き口部の開口端縁の一部が開口端縁の残部に対して上方に突出して形成された舌片状の引張部を備えることから、着用者が靴下を履く際には、着用者がその手指で引張部に容易に接触することができる。
【００１７】
この引張部の外表面または内表面には、引張部の下方に向かって開口する袋状の手指挿入口が形成されていることから、着用者が、引張部の手指挿入部に下方から上方に向かって手指を容易に挿入することができる。これにより、引張部を足甲まで容易に引っ張り上げることができる。
【００１８】
一方、着用者を介護する介護者が着用者に靴下を履かせる場合も、引張部が履き口部の開口端縁から突出して形成されていることから、着用者の体位の変動に大きく左右されることなく、手指挿入部に手指を挿入して引張部を足甲まで引っ張って、着用者に履かせることができる。
【００１９】
第３の考案による靴下は、第１または第２の考案による靴下において、前記開口端縁の前記一部が前記着用者の後退する方向に位置することを特徴とする。この構成によれば、引張部が形成された開口端縁の一部が、着用者の後退する方向に位置することから、靴下を引っ張り上げる際に、靴下が着用者の踵に引っかかることなく、スムーズに引っ張り上げることができる。
【００２０】
第４の考案による靴下は、第３の考案による靴下において、前記開口端縁の前記一部の縁長と前記開口端縁の前記残部の縁長とが等しいことを特徴とする。
【００２１】
この構成によれば、履き口部の開口端縁の一部の縁長と残部の縁長とが等しくなるように区分されることから、開口端縁の一部に形成された引張部が、開口端縁の全体の縁長のほぼ２分の１の領域に亘って延在する。したがって、引張部において靴下を引っ張り上げる際に、靴下おける着用者の後退する方向に偏位して引っ張り上げられることが抑制される。
【考案の効果】
【００２２】
本考案の靴下は、着用者が容易に履くことができ、かつ着用者を介護する介護者が、着用者に容易に履かせることができる。
【図面の簡単な説明】
【００２３】
【図１】本考案の実施の形態に係る靴下の概略を説明する側面図である。
【図２】同じく、本考案の実施の形態に係る靴下の概略を説明する斜視図である。
【図３】図２のＡ矢視図である。
【図４】図２のＢ矢視図である。
【図５】図４のＶ−Ｖ線断面図である。
【図６】同じく、本考案の実施の形態に係る靴下を履く場合の概略を説明する要部断面図である。
【図７】本考案の他の実施の形態に係る靴下の概略を説明する側面図である。
【考案を実施するための形態】
【００２４】
次に、図１〜図６を参照して、本考案の実施の形態について説明する。
【００２５】
なお、本実施の形態において、靴下を履く着用者が高齢者等である場合を例として説明する。
【００２６】
図１は、本実施の形態に係る靴下の概略を説明する側面図であり、図２は、本実施の形態に係る靴下の概略を説明する斜視図であり、図３は、図２のＡ矢視図である。
【００２７】
図示のように、靴下１０は、高齢者等の足指を覆う足指覆い部１１、足指覆い部１１と連続して形成されて高齢者等の足底を覆う足底覆い部１２、この足底覆い部１２及び足指覆い部１１と連続して形成されて高齢者等の足甲を覆う足甲覆い部１３、及び足甲覆い部１３と連続して形成されて足甲の上部に位置する高齢者等の足首を覆う足首覆い部１４を備える。
【００２８】
この足首覆い部１４には、本実施の形態では、伸縮性を有するリブ１４Ａがその上部に形成されており、このリブ１４Ａの上端縁１４Ｂに、履き口部１５の開口端縁１５Ａが設定される。高齢者等が靴下１０を履く場合は、この履き口部１５に足指から足を挿入する。
【００２９】
開口端縁１５Ａは、本実施の形態では、図３の矢線Ｒで示す高齢者等の後退方向に位置する一部１５Ａａと、図３の矢線Ｆで示す高齢者等の前進方向に位置する残部１５Ａｂとに仮想的に区分される。
【００３０】
この開口端縁１５Ａの一部１５Ａａの縁長と、残部１５Ａｂの縁長とは、本実施の形態では等しくなるように区分される。
【００３１】
仮想的に区分されたこの一部１５Ａａには、本実施の形態では、開口端縁１５Ａの残部１５Ａｂに対して上方に突出する舌片状であって、外表面２０Ａ及び内表面２０Ｂを有する引張部２０が形成されている。
【００３２】
図４は、図２のＢ矢視図であり、図５は、図４のＶ−Ｖ線断面図である。図示のように、引張部２０は、開口端縁１５Ａの残部１５Ａｂの高さ位置が開口端縁１５Ａの一部１５Ａａに投影された場合の高さ位置を基端縁１４Ｃａとして上方に延在する延在部１４Ｃが、折り返し線１４Ｃｂを介して延在部１４Ｃの先端縁１４Ｃｃ側が下方に折り返されて形成される。折り返しの起点が開口端縁１５Ａの一部１５Ａａとして設定され、正面視で略山型の外縁を呈する。
【００３３】
下方に折り返された延在部１４Ｃの先端縁１４Ｃｃは、延在部１４Ｃの基端縁１４Ｃａと重ね合わせられる。
【００３４】
このとき、矢線Ｘで示す延在部１４Ｃの一方側の先端縁１４Ｃｃが、延在部１４Ｃの一方側Ｘの基端縁１４Ｃａと縫合されて、第１縫合部１４Ｄａが形成される。同様に、矢線Ｙで示す延在部１４Ｃの他方側の先端縁１４Ｃｃが、延在部１４Ｃの他方側Ｙの基端縁１４Ｃａと縫合されて、第２縫合部１４Ｄｂが形成される。
【００３５】
一方、第１縫合部１４Ｄａと第２縫合部１４Ｄｂとの間において、折り返し線１４Ｃｂより基端縁１４Ｃａ側の延在部１４Ｃと折り返し線１４Ｃｂより先端縁１４Ｃｃ側の延在部１４Ｃとが上方に凸となる正面視で略山型に縫合されて、一方側Ｘで第１縫合部１４Ｄａと連続し、他方側Ｙで第２縫合部１４Ｄｂと連続する第３縫合部１４Ｄｃが形成される。
【００３６】
このように、第１縫合部１４Ｄａと第２縫合部１４Ｄｂとの間の第３縫合部１４Ｄｃによって、折り返し線１４Ｃｂより基端縁１４Ｃａ側の延在部１４Ｃと折り返し線１４Ｃｂより先端縁１４Ｃｃ側の延在部１４Ｃとの間隙が袋状に区画され、下方に向かって開口する手指挿入口２１ａが形成された手指挿入部２１が、引張部２０の内表面２０Ｂに形成される。
【００３７】
かかる靴下１０を高齢者等が自ら履く場合は、まず、履き口部１５に足指を挿入する。その後、靴下１０を足首まで引っ張り上げる際には、本実施の形態では、引張部２０が開口端縁１５Ａの残部１５Ａｂに対して一部１５Ａａが上方に突出して形成されていることから、高齢者等がその手指で引張部２０に容易に接触することができる。
【００３８】
本実施の形態では、引張部２０の内表面２０Ｂに手指挿入部２１が形成され、手指挿入部２１には、下方に向かって開口する手指挿入口２１ａが形成されていることから、図６で示すように、引張部２０の手指挿入部２１に、手指挿入口２１ａを介して下方から上方に向かって手指を容易に挿入することができる。
【００３９】
したがって、高齢者等、特に手指が拘縮しているような者であっても、手指挿入口２１ａを介して手指挿入部２１に手指を挿入することで、引張部２０を足首まで容易に引っ張り上げることができる。
【００４０】
一方、高齢者等を介護する介護者が高齢者等に靴下１０を履かせる場合も、引張部２１が履き口部１５の開口端縁１５Ａから突出して形成されていることから、高齢者等の体位の変動に大きく左右されることなく、手指挿入部２１に手指を挿入して引張部２０を足首まで引っ張って、高齢者等に履かせることができる。
【００４１】
しかも、本実施の形態では、引張部２０が、高齢者等の後退方向Ｒに位置する開口端縁１５Ａの一部１５Ａａに形成されていることから、靴下１０を足首まで引っ張り上げる際に、靴下１０が高齢者等の踵に引っかかることなく、スムーズに引っ張り上げることができる。
【００４２】
さらに、靴下１０は、本実施の形態では、履き口部１５の開口端縁１５Ａの一部１５Ａａの縁長と、残部１５Ａｂの縁長とが等しくなるように区分されることから、開口端縁１５Ａの一部１５Ａａに形成される引張部２０が、開口端縁１５Ａの全体の縁長のほぼ２分の１の領域に亘って延在する。
【００４３】
したがって、靴下１０を高齢者等の足首まで引っ張り上げる際に、靴下１０における高齢者等の前進方向Ｆ側と後退方向Ｒ側とがほぼ均等に引っ張り上げられることとなり、いずれか一方に偏位して引っ張り上げられることが抑制される。
【００４４】
なお、本考案は上記実施の形態に限定されることはなく、考案の趣旨を逸脱しない範囲で種々変更可能である。上記実施の形態では、靴下１０が足首覆い部１４を備える場合を説明したが、図７で示すように、足首覆い部１４を具備しない、スニーカーソックスあるいはアンクレットとも称される靴下３０であってもよい。
【００４５】
この靴下３０は、高齢者等の足指を覆う足指覆い部３１、足指覆い部３１と連続して形成されて高齢者等の足底を覆う足底覆い部３２、この足底覆い部３２及び足指覆い部３１と連続して形成されて高齢者等の足甲を覆う足甲覆い部３３を備える。
【００４６】
この足甲覆い部３３には、伸縮性を有するリブ３３Ａがその上部に形成されており、このリブ３３Ａの上端縁３３Ｂに、履き口部１５の開口端縁１５Ａが設定される。
【００４７】
この靴下３０の履き口部１５の開口端縁１５Ａには、靴下１０と同様に、開口端縁１５Ａの残部１５Ａｂに対して一部１５Ａａが上方に突出した引張部２０が形成されている。
【００４８】
上記実施の形態では、引張部２０の内表面２０Ｂに手指挿入部２１が形成された場合を説明したが、例えば、引張部２０の外表面２０Ａに手指挿入部２１が形成されていてもよい。
【符号の説明】
【００４９】
１０    靴下
１３    足甲覆い部
１４    足首覆い部
１４Ｂ    上端縁
１４Ｃ    延在部
１５    履き口部
１５Ａ    開口端縁
１５Ａａ    一部
１５Ａｂ    残部
２０    引張部
２０Ａ    外表面
２０Ｂ    内表面
２１    手指挿入部
２１ａ    手指挿入口
３０    靴下
３３    足甲覆い部
３３Ｂ    上端縁
【図１】
0003211355.tif 000003
【図２】
0003211355.tif 000004
【図３】
0003211355.tif 000005
【図４】
0003211355.tif 000006
【図５】
0003211355.tif 000007
【図６】
0003211355.tif 000008
【図７】
0003211355.tif 000009